(57)【特許請求の範囲】
【請求項１】
梯子本体と、内側当て板と、固定手段とを備え、
該梯子本体は、左右に平行な第一支柱と第二支柱と、複数の踏桟とを有し、
該固定手段は、壁面から前方に突出するように該壁面に取り付けられた支持部材と、該第二支柱に設けられた係止部とを有し、
該第一支柱と該第二支柱とに対して該複数の踏桟の端部が上下方向に回動自在に連結されることにより、該第一支柱と該第二支柱の間に該複数の踏桟が架設され、
該第一支柱は、該壁面に起伏支持杆を介して取り付けられ、該起伏支持杆が前向きに伏倒可能となるように該起伏支持杆の基端が該壁面に枢着され、該第一支柱は起伏支持杆の先端に枢着され、
該第一支柱は、該起伏支持杆が起立したとき、その下端が床面から所定の高さだけ浮いて該壁面に添接する第一状態をとることができ、
該第一支柱は、該起伏支持杆が前向きに伏倒したとき、該壁面から所定距離だけ前方に離れる第二状態をとることができ、
該第二支柱は、該複数の踏桟が第一支柱側端部よりも第二支柱側端部の方が上となるように起立したとき、該第一支柱と接合する第一状態を採ることができ、
該第二支柱は、該複数の踏桟の第一支柱側端部と第二支柱側端部とが略同一高となったとき、該第一支柱と離間する第二状態を採ることができ、
該梯子本体は、該第一支柱が第一状態をとり、かつ、該第二支柱が第一状態をとる、格納位置に置くことができ、
該梯子本体は、該第一支柱が第二状態をとり、かつ、該第二支柱が第二状態をとる、使用位置に置くことができ、
該内側当て板は、該壁面に取り付けられ、
該内側当て板は、該梯子本体が該格納位置に置かれたときの、該第二支柱の、該第一支柱とは反対側の側面に届く長さだけ、該壁面から前方に突出し、
該内側当て板は、該梯子本体が該格納位置に置かれたとき、該第二支柱の該側面に当接することにより、該第二支柱が該第一支柱と離間しないようにして、該第二支柱を該第一状態に維持し、
該格納位置にある該梯子本体の該第一支柱を該壁面から前方に動かすことにより、該第一支柱を該第一状態から該第二状態へ移行させるとともに、該第二支柱を該内側当て板から離して該第一状態から該第二状態に移行させ、最終的に該梯子本体を該使用位置に置くことができ、
該梯子本体が該使用位置に置かれたとき、該固定手段の該支持部材に該固定手段の該係止部が係止されることにより、該梯子本体が該使用位置に固定される、避難用梯子。
【請求項２】
該起伏支持杆が該第一支柱の上下両端部寄り位置に設けられ、該固定手段が該第二支柱の上下両端部寄り位置に設けられた、請求項１記載の避難用梯子。
【請求項３】
該第一支柱内にあって、特定の踏桟下方で該第一支柱内面に、上向きにばね力を発揮する帯状ばね片の基部を固着し、該ばね片の先端部をばね力に抗して踏桟端部から踏桟内に導入して、該第二支柱が該第一支柱に対して上昇する方向に該特定の踏桟を回動付勢したことを特徴とする請求項１記載の避難用梯子。
【請求項４】
該起伏支持杆基部を、該壁面に取着される取着板に突設した固定支持杆に枢着し、該固定支持杆の下端縁部に、該起伏支持杆の回動を規制する受け座を水平に突設したことを特徴とする請求項１記載の避難用梯子。
【請求項５】
さらに、外側当て板を備え、
該内側当て板と該外側当て板とが対向し、
該梯子本体が該格納位置にある時に、互いに接合する該第一支柱と該第二支柱とが、該内側当て板と該外側当て板の間に収められて、該梯子本体が該格納位置に保持される、請求項１記載の避難用梯子。
【請求項６】
複数の梯子本体を直列状に配置し、
上下に連続する第一支柱の突き合わせ端部に連結具を着脱自在に取着して、該上下に連続する第一支柱相互を連結し、
上下に連続する第二支柱の突き合わせ端部に連結具を着脱自在に取着して、該上下に連続する第二支柱相互を連結した、請求項１記載の避難用梯子。
【発明の詳細な説明】
【０００１】
【発明の属する技術分野】
本発明は、高層住宅のベランダ等の床面に形成した避難用ハッチから非常時に階下又は階上へ避難したり、建物の外壁面に設置して各階から地上へ避難したりするのに使用する避難用梯子に関するものである。
【０００２】
【従来の技術】
従来より、高層住宅のベランダ等の床面には、避難用ハッチが設けてあって、非常時にはこのハッチから階下又は階上に避難ができるように、ハッチに対応して近傍の壁面に非常用のステップが設けてあったり、ハッチ近傍に縄梯子を準備していることが多い。
【０００３】
【発明が解決しようとする課題】
ところが、上記するような避難用ハッチに対応して壁面に設けた非常用のステップは、適当な太さの金属線材をコ字状に折曲して両方の線材端部を壁面に固着してなる構成のものが多く、例えば、ハッチを開いて階下に避難する場合は、ハッチからハッチ下方のステップへ乗り移るのに、ステップに掛ける足が横滑べりしたりすると、足が簡単にステップから外れてしまうようなことが起きるので、特に、子供や婦女子は恐怖感を感じて身動きがとれなくなり、避難行動がとれなくなることがあり、きわめて使用し難いものである。また、縄梯子の場合は、ハッチからハッチ下方に吊り下げた縄梯子に乗り移るのに、体重を掛けると縄梯子が揺れ動くので、ここでも恐怖感を感じて身動きがとれなくなり、避難行動がとれなくなり、上記のステップ以上に使用し難いものである。
【０００４】
そこで、本発明の課題は、非常時において使用する時には、壁面にしっかり固定された状態で壁面との間に所定の隙間を形成し、汎用の梯子同様に使用することができ、不使用時には、形態を縮小して壁面に添接状態で格納できて避難用梯子の存在が邪魔にならず、取り扱いに便利な避難用梯子を提供することを目的としたものである。
【０００５】
【課題を解決するための手段】
上記目的を達成するために、本発明に係る避難用梯子は、梯子本体と、内側当て板と、固定手段とを備え、該梯子本体は、左右に平行な第一支柱と第二支柱と、複数の踏桟とを有し、該固定手段は、壁面から前方に突出するように該壁面に取り付けられた支持部材と、該第二支柱に設けられた係止部とを有し、該第一支柱と該第二支柱とに対して該複数の踏桟の端部が上下方向に回動自在に連結されることにより、該第一支柱と該第二支柱の間に該複数の踏桟が架設され、該第一支柱は、該壁面に起伏支持杆を介して取り付けられ、該起伏支持杆が前向きに伏倒可能となるように該起伏支持杆の基端が該壁面に枢着され、該第一支柱は起伏支持杆の先端に枢着され、該第一支柱は、該起伏支持杆が起立したとき、その下端が床面から所定の高さだけ浮いて該壁面に添接する第一状態をとることができ、該第一支柱は、該起伏支持杆が前向きに伏倒したとき、該壁面から所定距離だけ前方に離れる第二状態をとることができ、該第二支柱は、該複数の踏桟が第一支柱側端部よりも第二支柱側端部の方が上となるように起立したとき、該第一支柱と接合する第一状態を採ることができ、該第二支柱は、該複数の踏桟の第一支柱側端部と第二支柱側端部とが略同一高となったとき、該第一支柱と離間する第二状態を採ることができ、該梯子本体は、該第一支柱が第一状態をとり、かつ、該第二支柱が第一状態をとる、格納位置に置くことができ、該梯子本体は、該第一支柱が第二状態をとり、かつ、該第二支柱が第二状態をとる、使用位置に置くことができ、該内側当て板は、該壁面に取り付けられ、該内側当て板は、該梯子本体が該格納位置に置かれたときの、該第二支柱の、該第一支柱とは反対側の側面に届く長さだけ、該壁面から前方に突出し、該内側当て板は、該梯子本体が該格納位置に置かれたとき、該第二支柱の該側面に当接することにより、該第二支柱が該第一支柱と離間しないようにして、該第二支柱を該第一状態に維持し、該格納位置にある該梯子本体の該第一支柱を該壁面から前方に動かすことにより、該第一支柱を該第一状態から該第二状態へ移行させるとともに、該第二支柱を該内側当て板から離して該第一状態から該第二状態に移行させ、最終的に該梯子本体を該使用位置に置くことができ、該梯子本体が該使用位置に置かれたとき、該固定手段の該支持部材に該固定手段の該係止部が係止されることにより、該梯子本体が該使用位置に固定されることを特徴とする。
【０００６】
ここで、梯子本体は、アルミニューム合金等の金属で製作される。梯子本体の両方の支柱は、横断面コ字状の型材で構成し、両方の支柱は、その凹部の開口側を互いに対向させ、複数の踏桟は、両方の支柱間に一定の間隔で配置し、それぞれの踏桟の端部を枢軸をもって上下方向にのみ回転可能に支柱に枢着される。梯子本体が格納位置にある時は、両方の支柱が接合して踏桟は凹部内に収まり、また、両方の支柱背面を壁面に添接状にされる。そして、内側当て板が第二支柱を側方から支え、梯子本体は格納位置に保持される。
【０００７】
梯子本体が格納位置にある時は、両方の支柱の下端が床面から浮上するので、片方の支柱の下端と床面間に適宜の当て部材等をはめる等して梯子本体を格納位置に保持するようにすれば、不用意に梯子本体が壁面から離れることがなく梯子本体は格納位置に保持される。
【０００８】
このように構成された本発明の避難用梯子によれば、避難用梯子を使用する時は、格納位置にあって床面から浮上する両方の支柱の動きを、自由にするように操作すると、梯子本体がその重みで下降するのに伴って壁面から離れ、起伏支持杆が前向きに伏倒して両方の支柱は一緒に前向きに下降動し、先に第一支柱下端が床面に当接して第一支柱の動きが止まる。同時に、第二支柱が内側当て板の外に出るので、この第二支柱はその重みで第一支柱に対して下降動して内側当て板側方に展開し、第二支柱下端が床面に当接して第二支柱の動きが止まる。この間に第二支柱の係止部は、固定手段を構成する支持部材に当接し、係止部を支持部材に係止させて第二支柱は固定される。
【０００９】
こうして、梯子本体は使用位置に展開して第一支柱および第二支柱は下端が床面に当接した状態で壁面に対して自動的に固定される。また、壁面間には所定の間隔で隙間が形成される。従って、梯子本体を昇り降りするのに、踏桟に掛けた足のつま先が壁面に当たることがなく、汎用の梯子同様に使用して子供や婦女子であっても恐怖感を感じることなく、安全に避難行動をとることができる。
【００１０】
また、該起伏支持杆が該第一支柱の上下両端部寄り位置に設けられ、該固定手段が該第二支柱の上下両端部寄り位置に設けられた構成にすると、梯子本体を使用位置に展開させるに当たって、特に、外部からの人の力を借りて展開を手助けするようなことをしなくても、梯子本体は重力の下で、常に、壁面に対して平行状に下降して両方の支柱下端を床面に当接させ、最終的に壁面間に所定の隙間を形成して直立姿勢で固定されるので、緊急を要する非常時の取り扱いをより便利なものとする。
【００１１】
また、起伏支持杆に連結した第一支柱に対し、第二支柱がその重みで下降し、壁面に平行して側方に展開する際に、当該支柱の固定手段に対する固定が衝撃的に行われたり、支柱下端が床面に衝撃的に当接したりするのを避けるために、該第一支柱内にあって、特定の踏桟下方で該第一支柱内面に、上向きにばね力を発揮する帯状ばね片の基部を固着し、該ばね片の先端部をばね力に抗して踏桟端部から踏桟内に導入して、該第二支柱が該第一支柱に対して上昇する方向に該特定の踏桟を回動付勢した構成を採用すると、第一支柱に対して第二支柱が側方に展開するのに伴う踏桟の回動は、帯状ばね片によって上向きに回動付勢したばね力に抗して行われるので、衝撃的な展開とならずに円滑で安全な展開を実現し、避難用梯子を取り扱い易くする。
【００１２】
また、該起伏支持杆基部を、該壁面に取着される取着板に突設した固定支持杆に枢着し、該固定支持杆の下端縁部に、該起伏支持杆の回動を規制する受け座を水平に突設すると、起伏支持杆が前向きに伏倒して第一支柱下端が床面に当接すると同時的に、起伏支持杆は固定支持杆の受け座に受け止められて起伏支持杆を回動終点に保持するので、これで第一支柱も、壁面間に固定手段によって固定される第二支柱同様に、壁面に対して振らつきがなく確かりした固定となって梯子本体を使い易くする。
【００１３】
さらに、外側当て板を備え、該内側当て板と該外側当て板とが対向し、該梯子本体が該格納位置にある時に、互いに接合する該第一支柱と該第二支柱とが、該内側当て板と該外側当て板の間に収められて、該梯子本体が該格納位置に保持される構成とすることもできる。
【００１４】
また、本発明に係る避難用梯子は、例えば、高層住宅等の建物の外壁面に対し、各階を単位にして梯子本体を連結状に設置することもできる。この場合は、各階を単位にした複数の梯子本体を直列状に配置し、上下に連続する支柱の突き合わせ端部に連結具を着脱自在に取着して支柱相互を連結した構成にすると、最上階から避難する時は、格納位置に保持されている最上階に対応する梯子本体の保持を解くと、この最上階に対応する梯子本体に連結された下の各階に対応する全ての梯子本体が一斉に同時に展開して最上階を含めて全ての階から地上へ安全に避難することができる。
【００１５】
また、最上階より下の各階から避難する時は、当該階に対応する梯子本体と、その上の階に対応する梯子本体の上下に連続する支柱の突き合わせ端部を連結する連結具を抜き取ると、連結状態にある梯子本体が中間で分断され、上の階に対応する梯子本体はそのままに、当該階より下の階に対応する全ての梯子本体が一斉に同時に展開して各階から地上へ安全に避難することができる。
【００１６】
また、本発明に係る避難用梯子が使用されない時、つまり、平常時においては、起伏支持杆が起立し、第一支柱と第二支柱が接合して形態を縮小した状態で、両方の支柱背面が壁面に添接して格納位置に保持されるので、避難用梯子の存在が邪魔になることはない。また、格納位置で接合状態にある両方の支柱内では、踏桟もほぼ起立するようになり、特定の踏桟内に先端部を導入したばね片も、ばね力を開放する伸展形態を採るので、経時的にばね力が弱まるようなことがなく、長期間に亘って使用されなくても性能的な変化がなく、安定性に優れたものである。
【００１７】
【発明の実施の形態】
以下、本発明の実施の形態の一例を、図面に基づいて説明する。
【００１８】
図１は本発明に係る避難用梯子の梯子本体が展開した状態を示す斜視図であり、図２は本発明に係る避難用梯子の格納状態を示す斜視図である。
【００１９】
各図において、梯子本体１は、アルミニューム合金等の金属で製作され、梯子本体１の平行する左右一対の支柱２，３は、横断面コ字状の型材からなり、その凹部４の開口側を互いに対向させ、両方の支柱２，３間に複数の踏桟５を一定の間隔で配置し、それぞれの踏桟５の端部を枢軸６で上下方向にのみ回動可能に枢着している。
【００２０】
梯子本体１を壁面Ａ（図３参照）に対し平行状に配置し、梯子本体１の一方の支柱２の上下両端寄りの２個所を、起伏支持杆７を介して壁面Ａに対して接離動自在に連結している。実施の形態では、この起伏支持杆７の基部は、壁面Ａに対してアンカーボルト等で壁面Ａに取着される取着板８に突設した固定支持杆７ａに枢着され、起伏支持杆７の先端を枢軸９で支柱２側面に連結しており、固定支持杆７ａに対して、起伏支持杆７は上向きにほぼ直立位置と、ほぼ水平位置間を回動するようにしている。
【００２１】
梯子本体１の他方の支柱３と壁面Ａ間には、梯子本体１が使用位置で展開した状態で、支柱３の上下両端寄りの２個所を壁面Ａに固定する固定手段１０を設けている。この固定手段１０として実施の形態では、壁面Ａから直角に延び、先端部に上向きに係止凹部１３を設けた支持部材１１と、係止凹部１３に対応して支柱３の側面に設けた下向きフック状の係止杆１２からなり、支持部材１１の基部には、壁面Ａに対してアンカーボルト等で取着される取着板１４を一体に形成している。そして、梯子本体１が使用位置で展開して支柱３が支持部材１１の内面側に当接し、この状態で係止杆１２が支持部材１１の係止凹部１３に係止して支柱３を固定するようにしている。
【００２２】
また、梯子本体１の両方の支柱２，３が接合して梯子本体１が格納位置にある時に、両方の支柱２，３の接合状態を維持するために、両方の支柱２，３に跨って留め具１５を設けている。この留め具１５として実施の形態では、支柱３の前面に起伏動自在に設けた可動板片１６と、この可動板片１６に対応して支柱２の前面に突設した留め片１８からなり、両方の支柱２，３を接合させた状態で、可動板片１６を伏倒させて可動板片１６に設けた留め孔１７に留め片１８を挿通して両方の支柱２，３を接合状態に維持するようにしている。
【００２３】
次に、上記構成の避難用梯子の使用等について図３を参照しながら説明する。
【００２４】
本発明に係る避難用梯子において、平常時に梯子本体１が格納状態にある時は、図３（ａ）に示すように、両方の支柱２，３は接合状態に維持されて背面が壁面に添接し、両方の支柱２，３の下端は床面Ｂから浮上する。そこで、梯子本体１の格納位置に保持するために、床面Ｂからの浮上量の少ない支柱２の下端と床面Ｂ間に、適宜の当て部材Ｃを填めて梯子本体１が不用意に展開しないようにしておく。
【００２５】
非常時に避難用梯子を使用して避難する事態が生じた時は、支柱２の下端と床面Ｂ間に填めてある当て部材Ｃを外すと、梯子本体１はその重みで下降し、この下降に伴い梯子本体１を支持する起伏支持杆７が前向きに伏倒して梯子本体１が壁面Ａから離れて支柱２の下端が床面Ｂに当接してここで一旦、梯子本体１の動きが止まるので、両方の支柱２，３の接合状態を維持する留め具１５を外すと、床面Ｃから浮上状態にある支柱３がその重みで下降して側方に展開し、支柱３の外側面が支持部材１１の内面側に当接したところで係止杆１２が支持部材１１の係止凹部１３に係止し、図３（ｂ）に示すように支柱３が固定される。こうして、両方の支柱２，３は、壁面Ａに対し使用位置に固定されて汎用の梯子同様に昇り降りができて恐怖感を感じることなく避難行動をとることができる。
【００２６】
上記構成において、支柱２に対する支柱３の側方への展開は、両方の支柱２，３の接合状態を維持する留め具１５を外すと、床面Ｃから浮上状態にある支柱３はその重みで下降して側方に展開するので、最終的に支柱３の外側面が支持部材１１の内面側に当接したり、支柱３下端が床面Ｂに当接したり、また、係止杆１２が支持部材１１の係止凹部１３に係止したりする動作が衝撃的に行われる恐れがある。そこで、図４、図５に示すように、支柱２内にあって、特定の踏桟５下方で支柱内面に、上向きにばね力を発揮する帯状ばね片１９の基部を固着し、該ばね片の先端部１９ａをばね力に抗して踏桟端部から踏桟５内に導入して上向きに回動付勢した構成を採用すると、支柱２に対して支柱３が側方に展開するのに伴う踏桟５の下向きの回動は、帯状ばね片１９により上向きに踏桟５を持ち上げるばね力に抗して行われるので、支柱３の展開は衝撃的な展開とならず、適度の時間を掛けて円滑に動作して安全な展開を実現し、避難用梯子を取り扱い易くする。
【００２７】
また、上記構成において、壁面Ａに対して支柱２を接離動自在に連結する起伏支持杆７は、梯子本体１が格納位置にある時は、固定支持杆７ａに対して上向きにほぼ直立位置を採り、梯子本体１が展開した状態では、ほぼ水平位置を採るので、図６、図７に示すように、起伏支持杆７基部が枢着される固定支持杆７ａの下端縁部に、起伏支持杆７を水平位に受け止めて回動を規制する受け座７ｂが突設してあると、梯子本体１が使用位置で展開して起伏支持杆７が伏倒する時に、これが固定支持杆７ａの受け座７ｂに受け止められて起伏支持杆７を回動終点に安定させるので、支柱２についても、壁面Ａに取着される取着板１４から直接に延びる支持部材１１により固定される支柱３と同じように、壁面Ａに対して振らつきがなく確かりした固定となって展開した梯子本体１を使い易くする。
【００２８】
また、上記構成において、梯子本体１が格納位置にある時に、両方の支柱２，３の接合状態を維持するために設ける前記留め具１５に対応して、図６、図７に示すように、梯子本体１が格納位置にある時に、両方の支柱２，３を対向する当て板２１，２２間に収めて梯子本体１を格納位置に保持する保持部材２０を設けることができる。実施の形態の保持部材２０は、一枚の板体で構成され、アンカーボルト等で壁面Ａに取着される取着板部２３の両側に、接合状態にある両方の支柱２，３が丁度収まる間隔を採って内側の当て板２１と外側の当て板２２を対向して直角に曲成したもので、内側の当て板２１の高さは、両方の支柱２，３を収めた状態で支柱側面とほぼ同じ高さに設定し、外側の当て板２２の高さは、梯子本体１が使用位置で展開した状態で、対応する支柱２の側面に当てられる高さに設定している。また、両方の支柱２，３を収めた状態で、外側の当て板２２とこれに対応する支柱２の側面に通孔２４を設け、この通孔２４に固定ピン２５を挿通して梯子本体１を格納位置に保持するようにしている。
【００２９】
こうして、保持部材２０と固定ピン２５とを組み合わると、格納位置からの梯子本体１の展開は、固定ピン２５を抜き取るだけで、接合状態にある両方の支柱２，３は、その重みで一緒に前向きに下降して壁面Ａから離れ、展開側の支柱３が内側の当て板２１から離れた（抜け出た）ところで、支柱３が当て板側方に展開し、支柱３の外側面が支持部材１１の内面側に当接して係止杆１２が支持部材１１の係止凹部１３に係止して支柱３を固定して使用に供される。この時、保持部材２０の外側の当て板２２は、使用位置にある支柱２の外側面に当てられて支柱２の横振れを防止する。
【００３０】
また、前記の保持部材２０により梯子本体１を格納位置に保持する手法を採れば、高層住宅等の建物の外壁面に対して本発明に係る避難用梯子を効果的に設置することができる。この場合は、各階を単位にした複数の梯子本体１を直列状に配置し、図８に示すように、上下する支柱（一方の支柱２だけでよい）の突き合わせ端部に連結具２６を着脱自在に取着して支柱相互を連結する。実施の形態の連結具２６は、本体部２７に対して一対の固定ピン２８を平行状に突設したもので、この一対の固定ピン２８を、上下する支柱２の突き合わせ端部に設けた通孔２９に同時に挿入して支柱相互を連結している。
【００３１】
そして、最上階に対応する梯子本体１についてのみ、格納位置において保持部材２０による保持を行う。すなわち、保持部材２０の外側の当て板２２と、これに対応する支柱２の側面に設けた通孔２４に固定ピン２５を挿通して梯子本体１を格納位置に保持するようにし、最上階より下の各階に対応する梯子本体１に付設する保持部材２０については、固定ピン２５による梯子本体１の保持は行わないでおく。
【００３２】
こうして、最上階から避難する時には、保持部材２０から固定ピン２５を抜き取り、最上階に対応する梯子本体１の保持部材２０に対する保持を解くと、最上階に対応する梯子本体１に連結された下の各階に対応する全ての梯子本体１が一斉に同時に展開して使用できるようになる。こうして、最上階を含めて全ての階から地上への避難が安全にできる。
【００３３】
また、最上階より下の各階から避難する時には、当該階に対応する梯子本体１と、その上の階に対応する梯子本体１の支柱２の突き合わせ端部を連結する連結具２６を抜き取ると、連結状態にある梯子本体１が中間で分断され、当該階より下の階に対応する全ての梯子本体１が一斉に同時に展開して使用できるようになるので、避難を必要とする階からだけでも地上への避難が安全にできる。
【００３４】
また、本発明に係る避難用梯子が使用されない時、つまり、平常時には、両方の支柱２，３が接合して形態を縮小した状態で、支柱背面が壁面Ａに添接して格納位置に保持されるので、避難用梯子の存在が邪魔になることはない。また、接合状態にある両方の支柱２，３内では、踏桟５もほぼ起立するようになるので、特定の踏桟内に先端部を導入した帯状ばね片１９も、ばね力を開放する伸展形態を採り、経時的にばね力が弱まるようなことがなく、長期間に亘って使用されない状態が続いても、性能的な劣化がなく安定した性能を発揮する。
【００３５】
【発明の効果】
本発明は、以上説明したような形態で実施され、本発明によれば、平常時において使用しない時は、左右の支柱が接合して梯子本体は形態を縮小し、これを壁面に添接させて格納状態に保持されるので、避難用梯子の存在が邪魔になることはない。また、非常時に避難用梯子を使用する時は、格納状態から誰にでもできる簡単操作で、梯子本体は壁面から離れて自動的に展開し、しかも、壁面との間に所定の隙間を形成して使用位置に固定されるので、子供や婦女子であっても恐怖感を感じることがなく、素早く避難行動をとることができる優れた効果を奏するものである。
【図面の簡単な説明】
【図１】本発明に係る避難用梯子の梯子本体が展開した状態を示す斜視図である。
【図２】本発明に係る避難用梯子の格納状態を示す斜視図である。
【図３】（ａ）、（ｂ）は避難用梯子の使用状態を説明するための概略側面図である。
【図４】本発明に係る避難用梯子の梯子本体が展開した状態を示す一部拡大断面図である。
【図５】本発明に係る避難用梯子の格納状態を示す一部拡大断面図である。
【図６】本発明に係る避難用梯子の別の実施の形態を示す梯子本体が展開した状態を示す斜視図である。
【図７】本発明に係る避難用梯子の別の実施の形態を示す梯子本体の格納状態を示す斜視図である。
【図８】本発明に係る避難用梯子の梯子本体相互の連結部を示す斜視図である。
【符号の説明】
１  梯子本体
２  支柱
３  支柱
４  凹部
５  踏桟
６  枢軸
７  起伏支持杆
７ａ  固定支持杆
７ｂ  水平受け座
８  取着板
９  枢軸
１０  固定手段
１１  支持部材
１２  係止杆
１３  係止凹部
１４  取着板
１５  留め具
１６  可動板片
１７  留め孔
１８  留め片
１９  帯状ばね片
１９ａ  帯状ばね片先端部
２０  保持部材
２１  内側の当て板
２２  外側の当て板
２３  取着板部
２４  通孔
２５  固定ピン
２６  連結具
２７  本体部
２８  固定ピン
２９  通孔
【図１】
0003551257.tif 000002
【図２】
0003551257.tif 000003
【図３】
0003551257.tif 000004
【図４】
0003551257.tif 000005
【図５】
0003551257.tif 000006
【図６】
0003551257.tif 000007
【図７】
0003551257.tif 000008
【図８】
0003551257.tif 000009